(57)【要約】      （修正有）【課題】パッケージの側壁同士の係止について、より簡易な構造で、差し込み容易で抜けにくいパッケージの係止構造を提供する。【解決手段】パッケージの係止構造は、シート状部材を折り曲げることにより箱状に構成され、物品の外側の一部又は全部を覆うパッケージに、切込み２０をシート状部材の厚み方向に貫通するように設けて、パッケージに設けられた突起１０を切込み２０に挿通することで差込可能に構成されたものである。突起１０は、突起のサイド側に突出するエラを両サイドに有する第一の肩部１０１及び第二の肩部１０２と、当該第一の肩部１０１の根元側に形成される切り欠き部１０３と、を有するように形成し、第一の肩部１０１のエラは、第二の肩部１０２のエラよりも幅広に形成し、さらに、切り欠き部１０３のつけ根から第二の肩部１０２のエラの突端の距離ｘは切込み２０の長さと略同一とする。【選択図】図３
0003198911.tif 000002
【実用新案登録請求の範囲】
【請求項１】
シート状部材を折り曲げることにより箱状に構成され、物品の外側の一部又は全部を覆うパッケージにおいて、切込みを前記シート状部材の厚み方向に貫通するように設けて、前記パッケージに設けられた突起を前記切込みに挿通することで差込可能に構成された係止構造であって、
前記突起は、突起のサイド側に突出するエラを両サイドに有する第一の肩部及び第二の肩部と、当該第一の肩部の根元側に形成される切り欠き部と、を有するように形成し、
前記第一の肩部のエラは、前記第二の肩部のエラよりも幅広に形成し、
さらに、前記切り欠き部のつけ根から前記第二の肩部のエラの突端の距離は前記切込みの長さと略同一であることを特徴とするパッケージの係止構造。  
【請求項２】
請求項１に記載の係止構造を備えることを特徴とするパッケージ。
【考案の詳細な説明】
【技術分野】
【０００１】
本考案は、パッケージの係止構造に関する。
【背景技術】
【０００２】
物品の外側をパッケージ材で覆った状態のパッケージが知られている。このようなパッケージ材をシート状の部材、例えば、厚紙等で形成し、これを箱状に組み立てる構成が考えられる。シート状の部材は突起や切込みを有する形状に予め形成しておき、これを箱状に組み立てる際は、突起を切込みに単に差し込んで固定するようにすると、接着剤や粘着テープなどを使用する場合等に比してコスト的にも有利である。例えば、図５に示すような突起５０と切込み６０の係止構造がある。突起５０は、舌部５７から連続して構成され、先端に向けてテーパ形状で側面に切り欠きを備えている。一方、切込み６０の中央は突起５０の差し込み方向に対しＵ字の曲線形状を有している。突起５０はこの切り欠きで切込み６０で抜けにくいように配慮されている。
【０００３】
しかしながら、このような従来のパッケージ材は、突起を差し込んだ後に緩んで抜けてしまい、意図に反して箱が開いて内部の物品が飛び出たりする不具合があった。
【０００４】
これらの不具合を解消する考案が提案されている。特許文献１に係る考案は、突片と切り込みとの係合によって容器底部フラップを係止する構造であって、差し込み容易でありかつ抜けにくいという容器底部の係止構造で、２つのフラップ部分を係合させて底部を形成する容器の底部係止構造において、一方のフラップの外端縁に外方に突出する第１突片を設け、この第１突片の片側の根元にその突出方向に対して横方向の切り欠き部を形成し、もう一方のフラップの、前記第１突片に対応する位置から前記切り欠き部のある側と反対の方向に変位させた位置にこの第１突片を受け入れる切り込みを設け、また、一方のフラップに少なくとも１つの第２突片を設けるとともに、他方のフラップの、前記第２突片に対応する位置にこの第２突片を受け入れる係止受部を設けたことを特徴とする容器底部の係止構造を提供する。特許文献２に係る考案は、４角筒状の本体と、本体の下端に形成される底と、本体の上端に形成される蓋とを含むケースであって、底は、本体の下端において一辺からのびて形成され、挿入用孔が形成される内底フラップと、本体の下端において一辺に対向する他の一辺からのびて形成され、その先端部分が挿入用孔に挿入される外底フラップと、本体の下端において別の辺からのびて形成され、その先端部分が挿入用孔に挿入されるサイド底フラップとを含み、内底フラップの縁から挿入用孔にわたって切込が形成され、さらにサイド底フラップに内底フラップを差し込むための切目が形成されるケースを提案している。
【先行技術文献】
【特許文献】
【０００５】
【特許文献１】実開平５−７６５６号公報
【特許文献２】実用新案登録第３０５５４５３号公報
【考案の概要】
【考案が解決しようとする課題】
【０００６】
しかしながら、特許文献１及び２に係る考案は、パッケージの底部の底抜け防止を図ったもので、係止構造が複雑すぎ、パッケージの側壁同士の係止には不向きである。本考案は、このような問題に鑑み、パッケージの側壁同士の係止について、より簡易な構造で、差し込み容易で抜けにくい係止構造を提案することを課題とする。
【課題を解決するための手段】
【０００７】
本考案に係るパッケージの係止構造は、シート状部材を折り曲げることにより箱状に構成され、物品の外側の一部又は全部を覆うパッケージに、切込みをシート状部材の厚み方向に貫通するように設けて、パッケージに設けられた突起を切込みに挿通することで差込可能に構成された係止構造であって、突起は、突起のサイド側に突出するエラを両サイドに有する第一の肩部及び第二の肩部と、当該第一の肩部の根元側に形成される切り欠き部と、を有するように形成し、第一の肩部のエラは、第二の肩部のエラよりも幅広に形成し、さらに、切り欠き部のつけ根から第二の肩部のエラの突端の距離は切込みの長さと略同一であることを特徴とする。  
【０００８】
また、本考案に係るパッケージは上述係止構造を備えることを特徴とする。
【考案の効果】
【０００９】
本考案に係るパッケージの係止構造によれば、突起を切込みに差し込むときは、一端のエラを切込みの一端に入れた後、他端のエラを切込みの他端に入れるようにすることで、容易に差し込める。一方、いったん突起が切込みに差し込まれた後は、エラ及び切り欠き部が切込みの両端に引っ掛かる形となるので、自然に抜けてしまうことが防止されるという効果がある。
【図面の簡単な説明】
【００１０】
【図１】本考案に係る係止構造を備えるパッケージ１の展開図である。
【図２】図１のパッケージ１を組み立てた状態の表側の斜視図（ａ）と裏側の斜視図（ｂ）である。
【図３】本考案に係る係止構造について、突起と切込みの関係を示す図である。
【図４】突起を切込みに差し込む様子を示す図である。
【図５】従来のパッケージの突起及び切込みの形状を示す図である。
【考案を実施するための最良の形態】
【００１１】
以下、本考案の実施例を図面に基づき詳細に説明する。各図において、同一部分には同一番号を付し、重複する説明は省略する。また、図面は、本考案を理解するために誇張して表現している場合もあり、必ずしも縮尺どおり精緻に表したものではないことに留意されたい。なお、本考案は下記に示される実施例に限られるものではない。
【実施例１】
【００１２】
実施例１を図面を参照して詳細に説明する。
【００１３】
図１を参照する。図１は、本考案に係る係止構造を備えるパッケージ１の展開図である。図２は、図１の形状の厚紙材を折り曲げて箱状に組み立てたもの１Ａで、表側の斜視図（ａ）と裏側の斜視図（ｂ）である。パッケージ１に係る厚紙材は、表部１１、裏部１２、側部１５、１６、帯部１３、１４、舌部１７がそれぞれ一体的に形成されたものとなっている。図１に示すとおり、厚紙材を折り曲げる前の状態であり、裏部１２の一辺（図１においては左辺）に表部１１が連続し、帯部１３に連なる辺（図１においては下辺）に側部１５が連続して形成されている。側部１５には帯部１３が連続して形成され、帯部１３の一片（図１においては左辺）に帯部１４が連続し、舌部１７に連なる辺（図１においては下辺）に側部１６が連続して形成されている。さらに、側部１６の一辺に舌部１７が連続し、この舌部１７に突起１０が連続して形成されている。
【００１４】
裏部１２には、舌部１７の先端にある突起１０が差し込まれる位置に、切込み２０が形成されている。また、表部１１と裏部１２とは、これらの境界線の中央近傍に孔１１０、１２０を備え、孔１１０、１２０は両者が境界線で折り曲げられると重畳するように形成される。
【００１５】
上述したとおり、図２は、図１の形状の厚紙材を折り曲げて箱状に組み立てたもの１Ａで、表側の斜視図（ａ）と裏側の斜視図（ｂ）である。図２（ａ）に示すとおり、組み立てられたパッケージ１Ａは、表部１１の正面側に帯部１３が現れるよう、帯部１４は帯１３との境界線を山折りして、表部１１に当接される。図２（ｂ）によれば、該パッケージ１Ａは、裏部１２に対して、側部１６を介して舌部１７が折り曲げられ、突起１０（図示されていない）が裏部１２の切込み部２０に差し込まれている。
【００１６】
図３を参照する。図３は、本考案に係る係止構造について、突起１０と切込み２０の関係を示す図であり、（ａ）は差し込まれる前の状態、（ｂ）は差し込まれた状態を示している。前述したとおり、突起１０は、パッケージ１の舌部１７に形成されている。突起１０の具体的形状を図３（ａ）を参照して説明すると、突起１０には二つの肩部１０１、１０２が、突起１０の両サイド側に突出するように図面に向かって上下非対称に設けられて構成されている。すなわち、上方に設けられている第一の肩部１０１は、下方に設けられている第二の肩部１０２よりも幅広のエラが形成されている。さらに、第一の肩部１０１の根元側の部分には、舌部１７との間に切り欠き部１０３を形成している。一方、第二の肩部１０２は第一の肩部１０１よりも幅狭のエラが形成されている。上下非対称の突起はその幅がテーパ状に絞られて、切込み２０への差し込みを容易としている。
【００１７】
切込み２０は、図１ないし３に示すように、パッケージ１の裏部１２に形成されている。この切込み２０の具体的形状を図３を参照して説明すると、切込み２０の中央部は突起１０の差込方向に対し垂直な直線状に形成するとともに、その両端部２０１、２０２は、小さな孔が形成されている。この小さな孔の存在により突起１０を差し込み易くするように配慮されている。
【００１８】
突起１０の第一の肩部１０１に形成される切り欠き部１０３のつけ根から、第二の肩部の突端との距離（ｘ）は、切込み２０の長さ（両端に備える孔の端を含む）と略同一とする。これにより、後述する突起１０の切込み２０への差し込みを容易にし、抜けにくくするように配慮されている。
【００１９】
図４を参照する。図４は、突起１０を切込み２０に差し込む様子を示す図である。図３（ａ）には突起１０を切込み２０に差し込む前の状態が示されるが、ここで突起部１０の最大幅は切込み２０の幅より大きいため、図３（ａ）の状態から突起１０を切込み２０に真っ直ぐに差し込むことはできない。そこで、図４（ａ）に示すように、突起１０を切込み２０に対し若干斜めにズラしながら差し込んで、第一の肩部１０１に切込み２０を越えさせる。そして、図４（ｂ）に示すように、切込み２０の一端が、突起１０の切り欠き部１０３のつけ根に位置するようにする。そうすると、第一の肩部１０１のエラは切込み２０に入った状態を維持したまま、第二の肩部１０２のエラの突端が切込み２０の他端を越えることができ、図４（ｃ）に示すように、突起１０の切込み２０への差し込みが完了する。
【００２０】
そして、前述のとおり突起部１０の最大幅は切込み２０の幅より大きいため、いったん図４（ｃ）の状態となれば、突起１０が切込み２０から抜脱されることは、突起１０の肩部１０１、１０２のエラが切込み２０の両端に引っ掛かることで規制される。従って、いったん突起１０が切込み２０に差し込まれた後は、不用意に突起１０が抜けることが防止され、パッケージ１が箱としての形を失い、支持された物品が落下することが防止される。
【００２１】
以上、本考案に係る係止構造とこれを含むパッケージにおける好ましい実施形態を図示して説明してきたが、本考案の技術的範囲を逸脱することなく種々の変更が可能であることは理解されるであろう。
【産業上の利用可能性】
【００２２】
本考案に係る係止構造を含むパッケージは、側面を閉じるパッケージだけでなく、底面を閉じるパッケージに、広く利用することができる。
【符号の説明】
【００２３】
１  １Ａ  パッケージ
１７  フラップ
１０  突起
１０１  第一の肩部
１０２  第二の肩部
１０３  切り欠き部
２０  切込み
２０１  切込み端部
ｘ  切り欠き部１０３のつけ根から、第二の肩部の突端との距離
【図１】
0003198911.tif 000003
【図２】
0003198911.tif 000004
【図３】
0003198911.tif 000005
【図４】
0003198911.tif 000006
【図５】
0003198911.tif 000007